(57)【特許請求の範囲】
【請求項１】
空調対象空間の空気を吸い込む少なくとも２つの吸込口と、前記空調対象空間に空気調和後の前記空気を吹き出す吹出口（１９）とを有する空調室内機であって、
第１吸込口（２１）が下部に、第２吸込口（２２）が前部および／または上部に設けられている本体ケーシング（１１）と、
前記第１吸込口（２１）の開度を調節する第１吸込口開閉機構（３１）と、
前記第１吸込口開閉機構（３１）を制御する制御部（４１）と、
を備え、
前記制御部（４１）は、前記空気の吹出方向によって前記第１吸込口（２１）の開閉を決定し、
さらに前記制御部（４１）は、
前記空気の吹き出し方向が下向きで且つ前記空気の風量が小さいときは、前記第１吸込口開閉機構（３１）を介して前記第１吸込口（２１）を閉じ、
前記空気の吹き出し方向が下向きで且つ前記空気の風量が大きいときは、前記第１吸込口開閉機構（３１）を介して前記第１吸込口（２１）を開く、
空調室内機（２）。
【請求項２】
空調対象空間の空気を吸い込む少なくとも２つの吸込口と、前記空調対象空間に空気調和後の前記空気を吹き出す吹出口（１９）とを有する空調室内機であって、
第１吸込口（２１）が下部に、第２吸込口（２２）が前部および／または上部に設けられている本体ケーシング（１１）と、
前記第１吸込口（２１）の開度を調節する第１吸込口開閉機構（３１）と、
前記第１吸込口開閉機構（３１）を制御する制御部（４１）と、
を備え、
前記制御部（４１）は、前記空気の吹出方向によって前記第１吸込口（２１）の開閉を決定し、
さらに前記制御部は、
前記空気の吹き出し方向が上向きで且つ前記空気の風量が大きいときは、前記第１吸込口開閉機構（３１）を介して前記第１吸込口（２１）を開き、
前記空気の吹き出し方向が上向きで且つ前記空気の風量が小さいときは、前記第１吸込口開閉機構（３１）を介して前記第１吸込口（２１）を閉じる、
空調室内機（２）。
【請求項３】
空気調和後の前記空気の吹き出し角度を調節する吹出口開閉機構（２９）をさらに備え、
前記制御部（４１）は、前記空気の吹き出し角度に応じて前記第１吸込口（２１）の開度を調節する、
請求項１又は請求項２に記載の空調室内機（２）。
【請求項４】
前記第１吸込口（２１）は、前記吹出口（１９）の後方に隣接している、
請求項１又は請求項２に記載の空調室内機（２）。
【請求項５】
空気調和後の前記空気の吹き出し角度は、上下方向で可変され、
前記吹き出し角度が略鉛直下方のときに前記第１吸込口（２１）が閉じられる、
請求項１に記載の空調室内機（２）。
【請求項６】
前記第１吸込口開閉機構（３１）は、
前記第１吸込口（２１）を開閉する開閉部材（３１１）と、
前記開閉部材（３１１）を回動させる駆動部（３１８）と、
を含み、
前記開閉部材（３１１）の回動軸は前記吹出口（１９）寄りに位置し、
前記開閉部材（３１１）が前記第１吸込口（２１）を開いたとき、前記開閉部材（３１１）の一部が、前記第１吸込口（２１）の縁のうち前記吹出口（１９）に近い側の縁の近傍から下方に突出した姿勢をとる、
請求項１又は請求項２に記載の空調室内機（２）。
【請求項７】
前記第１吸込口開閉機構（３１）は、
前記第１吸込口（２１）を開閉する開閉部材（４１１）と、
前記開閉部材（４１１）を移動させる駆動部（４１４）と、
を含み、
前記開閉部材（４１１）の回動軸は、前記第１吸込口（２１）の縁のうち前記吹出口（１９）から遠い側の縁の近傍に位置し、
前記開閉部材（４１１）が前記第１吸込口（２１）を開いたとき、前記開閉部材（４１１）は前記吹出口（１９）に近い端部を前記第１吸込口（２１）の下方へ降ろした姿勢をとる、
請求項１又は請求項２に記載の空調室内機（２）。
【請求項８】
前記第２吸込口（２２）の開度を調節する第２吸込口開閉機構（３２）をさらに備え、
前記制御部（４１）は、前記第１吸込口（２１）を開いたとき、前記第２吸込口（２２）の開度を調節する、
請求項１又は請求項２に記載の空調室内機（２）。
【請求項９】
前記制御部（４１）は、必要とする空気調和能力に応じて前記第１吸込口（２１）の開度を調節する、
請求項１又は請求項２に記載の空調室内機（２）。
【請求項１０】
前記第１吸込口（２１）の開度調節範囲を特定範囲内に抑える開度選択手段をさらに備え、
前記制御部（４１）は、前記開度選択手段で選択された範囲に基づいて前記第１吸込口開閉機構（３１）の動作を制御する、
請求項１又は請求項２に記載の空調室内機（２）。
【発明の詳細な説明】
【技術分野】
【０００１】
本発明は、空調室内機に関する。
【背景技術】
【０００２】
特許文献１（特開２００１−１１６３４６号公報）には、本体の前面上部および上面に上部吸込口を、本体の底面に下部吸込口を有している空調室内機が開示されている。上部吸込口にはフラップが、下部吸込口には開閉板が回動自在に取り付けられている。また、下部吸込口から吸い込まれた空気の通風路には空気清浄ユニットが装着されている。特許文献１によれば、開閉板は、通常の運転中は下部吸込口を全開にし、運転停止中や電気式集塵機のクリーニングなどのメンテナンスを行う場合などには必要に応じて下部吸込口を閉じる。
【発明の概要】
【発明が解決しようとする課題】
【０００３】
一般的な空調室内機では、吸込口は吹出口よりも上部に位置しており、例えば冷房時、吹出口から空気調和後の空気を水平或いはやや斜め上方に吹き出し、吹出口よりも上部に位置する吸込口から空調対象空間の空気を吸い込むので、空調対象空間では空気の対流がない或いは極端に少ない部分、いわゆる「よどみ」が発生する。
【０００４】
空気のよどみの抑制には、特許文献１に開示されているような、本体の下部に吸込口が設けられているタイプが有利である。しかしながら、本体の下部に吸込口がある場合、吹出口から吹き出された空気が直に吸込口に吸い込まれる現象、いわゆるショートサーキットが発生する懸念がある。
【０００５】
本発明の課題は、下部に吸込口が設けられている空調室内機において、ショートサーキットを防止しつつ、空気のよどみの発生を抑制する空調室内機を提供することにある。
【課題を解決するための手段】
【０００６】
本発明の第１観点に係る空調室内機は、空調対象空間の空気を吸い込む少なくとも２つの吸込口と、空調対象空間に空気調和後の空気を吹き出す吹出口とを有する空調室内機であって、本体ケーシングと、第１吸込口開閉機構と、制御部とを備えている。本体ケーシングでは、第１吸込口が下部に、第２吸込口が前部および／または上部に設けられている。第１吸込口開閉機構は、第１吸込口の開度を調節する。制御部は、第１吸込口開閉機構を制御する。また、制御部は、空気の吹出方向によって第１吸込口の開閉を決定する。さらに、制御部は、空気の吹き出し方向が下向きで且つ前記空気の風量が小さいときは、第１吸込口開閉機構を介して第１吸込口を閉じ、空気の吹き出し方向が下向きで且つ前記空気の風量が大きいときは、第１吸込口開閉機構を介して第１吸込口を開く。
【０００７】
例えば、本体ケーシングの前部および／または上部に位置する第２吸込口だけで空気を吸い込んでいるときは「よどみ」が発生するが、この空調室内機では、本体ケーシングの下部に位置する第１吸込口から空気が吸い込まれることによって、空調対象空間における空気の対流に変化が起こり、よどみの解消となる。
【０００８】
なお、空気の吹出方向が下向きのとき、第１吸込口が開いていると吹出空気が直に第１吸込口に吸い込まれる現象、いわゆるショートサーキットが発生して空気が循環しなくなり、空気のよどみも解消されない。しかし、この空調室内機では、例えば、空気の吹出方向が下向きのときは第１吸込口を閉じることによって、ショートサーキットを防止することができる。したがって、この空調室内機によれば、空気のよどみを解消し、又はショートサーキットを防止しつつ空気の対流を維持して空気のよどみの発生を抑制することができる。
【０００９】
但し、例えば暖房運転時、設定温度と空調対象空間の温度との差が大きいときは、吹出空気の風量が大きくなるので、ショートサーキットは発生し難い。つまり、吹出空気の風量に応じて第１吸込口を開閉することによって、ショートサーキットを防止しつつ、空気の対流を維持して空気のよどみの発生を抑制することができる。
【００１０】
本発明の第２観点に係る空調室内機は、空調対象空間の空気を吸い込む少なくとも２つの吸込口と、空調対象空間に空気調和後の空気を吹き出す吹出口とを有する空調室内機であって、本体ケーシングと、第１吸込口開閉機構と、制御部とを備えている。本体ケーシングでは、第１吸込口が下部に、第２吸込口が前部および／または上部に設けられている。第１吸込口開閉機構は、第１吸込口の開度を調節する。制御部は、第１吸込口開閉機構を制御する。また、制御部は、空気の吹出方向によって第１吸込口の開閉を決定する。さらに、制御部は、空気の吹き出し方向が上向きで且つ前記空気の風量が大きいときは、第１吸込口開閉機構を介して第１吸込口を開き、空気の吹き出し方向が上向きで且つ前記空気の風量が小さいときは、第１吸込口開閉機構を介して前記第１吸込口を閉じる。
【００１１】
この空調室内機では、本体ケーシングの下部に位置する第１吸込口から空気が吸い込まれることによって、空調対象空間における空気の対流に変化が起こり、よどみの解消となる。
【００１２】
なお、冷房運転時、設定温度と空調対象空間の温度との差が小さいときは、吹出空気の風量が小さくなるので、吹出空気がたとえ水平または上向きでも第１吸込口に吸い込まれてショートサーキットが発生する可能性がある。このような場合は、第１吸込口を閉じることによって、ショートサーキットを防止する。つまり、吹出空気の風量に応じて第１吸込口を開閉することによって、ショートサーキットを防止しつつ、空気の対流を維持して空気のよどみの発生を抑制することができる。
【００１３】
本発明の第３観点に係る空調室内機は、第１観点または第２観点に係る空調室内機であって、空気調和後の空気の吹き出し角度を調節する吹出口開閉機構をさらに備えている。制御部は、空気の吹き出し角度に応じて第１吸込口の開度を調節する。
【００１４】
この空調室内機では、吹出口から真下に空気が吹出されるときは、吹出空気が第１吸込口に吸込まれるショートサーキットが発生するので、吹き出し角度に応じて第１吸込口の開度を調節し、ショートサーキットを防止する。
【００１５】
本発明の第４観点に係る空調室内機は、第１観点または第２観点に係る空調室内機であって、第１吸込口が、吹出口の後方に隣接している。
【００１６】
本発明の第５観点に係る空調室内機は、第１観点に係る空調室内機であって、空気調和後の空気の吹き出し角度が、上下方向で可変され、吹き出し角度が略鉛直下方のときに第１吸込口が閉じられる。それゆえ、この空調室内機ではショートサーキットの発生が防止される。
【００１７】
本発明の第６観点に係る空調室内機は、第１観点または第２観点に係る空調室内機であって、第１吸込口開閉機構が開閉部材と駆動部とを有している。開閉部材は、第１吸込口を開閉する。駆動部は、開閉部材を回動させる。開閉部材の回動軸は吹出口寄りに位置している。また、開閉部材が第１吸込口を開いたとき、開閉部材の一部は第１吸込口の縁のうち吹出口に近い側の縁の近傍から下方に突出した姿勢をとる。
【００１８】
例えば、空調室内機の取り付け位置がカーテンレールの真上にある場合、開閉部材の突出寸法が長過ぎるとカーテンレールと干渉するが、この空調室内機では開閉部材の一部が突出するだけであるので、その懸念が解消される。この場合、開閉部材は、その突出寸法が短くなるため、吹出口から第１吸込口の方向に流れ出た気流の遮断が不十分となり、ショートサーキットが発生する可能性があるため、吹出方向が下向きの場合に第１吸込口を閉じる制御が特に必要になる。
【００１９】
本発明の第７観点に係る空調室内機は、第１観点または第２観点に係る空調室内機であって、第１吸込口開閉機構が開閉部材と駆動部とを有している。開閉部材は、第１吸込口を開閉する。開閉部材の回動軸は、第１吸込口の縁のうち吹出口から遠い側の縁の近傍に位置する。開閉部材が第１吸込口を開いたとき、開閉部材は吹出口に近い側の端部を第１吸込口の下方へ降ろした姿勢をとる。
【００２０】
この空調室内機では、吹出口から第１吸込口の方向に流れ出た気流は、第１吸込口に吸い込まれてしまうので、吹出口から出た空調空気の勢いが第１吸込口の吸い込み力を上回るようなとき以外は、開閉部材で第１吸込口を閉じ、ショートサーキットを防止する。それゆえ、たとえ第１吸込口が吹出口側に開口する構成であっても、吹出空気の風量に応じて第１吸込口を開閉することによって、ショートサーキットを防止しつつ、空気のよどみを抑制することができる。
【００２１】
本発明の第８観点に係る空調室内機は、第１観点または第２観点に係る空調室内機であって、第２吸込口の開度を調節する第２吸込口開閉機構をさらに備えている。制御部は、第１吸込口を開いたとき、第２吸込口の開度を調節する。
【００２２】
この空調室内機では、例えば、壁掛け型空調室内機のクロスフローファンの場合、主流が前部或いは上部の吸込口から吹出口に向かう流れであるので、第２吸込口が開度調節され適正な主流が生じることによって第１吸込口からの空気の吸込みが可能となる。
【００２３】
本発明の第９観点に係る空調室内機は、第１観点または第２観点に係る空調室内機であって、制御部が、必要とする空気調和能力に応じて第１吸込口の開度を調節する。
【００２４】
この空調室内機では、必要な空気吸込量の増加減に対応した第１吸込口の開度調節が可能となるので、空気吸込量の増加を伴う高い能力が必要なときに第１吸込口を開にして対応することができる。
【００２５】
本発明の第１０観点に係る空調室内機は、第１観点または第２観点に係る空調室内機であって、第１吸込口の開度調節範囲を特定範囲内に抑える開度選択手段をさらに備えている。制御部は、開度選択手段で選択された範囲に基づいて第１吸込口開閉機構の動作を制御する。
【００２６】
この空調室内機では、例えば、第１吸込口の下方に近接したカーテンレールなどがあって物理的に開閉できないとき、或いは、カーテンの窓側からの空気を吸い込みたくないとき、予め、開閉のモードを選択し記憶させておくことによって、第１吸込口の開度を制限することができる。
【発明の効果】
【００２７】
本発明の第１観点または第２観点に係る空調室内機では、吹出空気の風量に応じて第１吸込口を開閉することによって、ショートサーキットを防止しつつ、空気の対流を維持して空気のよどみの発生を抑制することができる。
【００２８】
本発明の第３観点に係る空調室内機では、吹き出し角度に応じて第１吸込口の開度を調節し、ショートサーキットを防止する。
【００２９】
本発明の第４観点又は第５観点に係る空調室内機では、ショートサーキットの発生が防止される。
【００３０】
本発明の第６観点に係る空調室内機では、吹出口から第１吸込口の方向に流れ出た気流の遮断が不十分な場合はショートサーキットが発生する可能性があるため、吹出方向が下向きの場合に第１吸込口を閉じる制御によってショートサーキットを未然に防止する。
【００３１】
本発明の第７観点に係る空調室内機では、たとえ第１吸込口が吹出口側に開口する構成であっても、吹出空気の風量に応じて第１吸込口を開閉することによって、ショートサーキットを防止しつつ、空気のよどみを抑制することができる。
【００３２】
本発明の第８観点に係る空調室内機では、第２吸込口が開度調節され適正な主流が生じることによって第１吸込口からの空気の吸込みが可能となる。
【００３３】
本発明の第９観点に係る空調室内機では、必要な空気吸込量の増加減に対応した第１吸込口の開度調節が可能となるので、空気吸込量の増加を伴う高い能力が必要なときに第１吸込口を開にして対応することができる。
【００３４】
本発明の第１０観点に係る空調室内機では、予め、開閉のモードを選択し記憶させておくことによって、第１吸込口の開度を制限することができる。
【図面の簡単な説明】
【００３５】
【図１】本発明の一実施形態に係る空調室内機の断面図。
【図２】図１に記載の吹出口および第１吸込口の拡大側面図。
【図３】図１に記載の第２吸込口の拡大側面図。
【図４】運転中の空調室内機の断面図。
【図５】各開位置で停止した開閉板周辺の側面図。
【図６Ａ】第１変形例に係る空調室内機の閉じられた第１吸込口周辺の断面図。
【図６Ｂ】第１変形例に係る空調室内機の開かれた第１吸込口周辺の断面図。
【図７Ａ】第２変形例に係る空調室内機の閉じられた第１吸込口周辺の断面図。
【図７Ｂ】第２変形例に係る空調室内機の開かれた第１吸込口周辺の断面図。
【発明を実施するための形態】
【００３６】
以下、図面を参照しながら、本発明の実施形態について説明する。なお、以下の実施形態は、本発明の具体例であって、本発明の技術的範囲を限定するものではない。
【００３７】
（１）空調室内機２の構成
図１は、本発明の一実施形態に係る空調室内機の断面図である。図１において、空調室内機２は壁掛けタイプであり、本体ケーシング１１、室内熱交換器１３、室内ファン１５、底フレーム１７、フィルタ２５及び制御部４１が搭載されている。
【００３８】
本体ケーシング１１は、前面グリル１１ａ、前面パネル１１ｂ及び背面板１１ｃによって立体空間を形成し、その立体空間内に室内熱交換器１３、室内ファン１５、底フレーム１７、フィルタ２５、及び制御部４１が収まっている。前面パネル１１ｂは、前面グリル１１ａの前面を覆っており、上端が前面グリル１１ａに回動自在に支持され、ヒンジ式に動作することができる。また、本体ケーシング１１は、取付板１１ｄを介して壁に装着される。
【００３９】
室内熱交換器１３及び室内ファン１５は、底フレーム１７に取り付けられている。室内熱交換器１３は、通過する空気との間で熱交換を行う。また、室内熱交換器１３は、側面視において両端が下方に向いて屈曲する逆Ｖ字状の形状を成し、その下方に室内ファン１５が位置する。室内ファン１５は、クロスフローファンであり、室内から取り込んだ空気を、室内熱交換器１３に当てて通過させた後、室内に吹き出す。
【００４０】
本体ケーシング１１の下面部には、吹出口１９が設けられている。吹出口１９には、吹出口１９から吹き出される空気を案内するフラップ２９１が回動自在に取り付けられている。フラップ２９１は、モータ（図示せず）によって駆動し、空気の吹出方向を変更するだけでなく、吹出口１９を開閉することもできる。吹出口１９は、吹出流路１８によって本体ケーシング１１の内部と繋がっており、吹出流路１８は吹出口１９から底フレーム１７に沿って形成されている。
【００４１】
さらに本体ケーシング１１の下面部には、第１吸込口２１が吹出口１９よりも壁側に設けられている。第１吸込口２１は、吸込流路１６によって本体ケーシング１１の内部と繋がっており、吸込流路１６は第１吸込口２１から底フレーム１７に沿って形成されている。つまり、吸込流路１６は、底フレーム１７を挟んで吹出流路１８と隣接している。
【００４２】
第１吸込口２１近傍の室内空気は、室内ファン１５の稼動によって第１吸込口２１、吸込流路１６、フィルタ２５及び室内熱交換器１３を経て室内ファン１５に吸い込まれ、室内ファン１５から吹出流路１８を経て吹出口１９から吹き出される。
【００４３】
本体ケーシング１１の前面グリル１１ａと室内熱交換器１３との間にはフィルタ２５が配置されている。フィルタ２５は、室内熱交換器１３に向って流入してくる空気に含まれる塵埃を除去する。
【００４４】
前面グリル１１ａの前上部には、第２吸込口２２が設けられている。第２吸込口２２近傍の室内空気は、室内ファン１５の稼動によって第２吸込口２２、フィルタ２５及び室内熱交換器１３を経て室内ファン１５に吸い込まれ、室内ファン１５から吹出流路１８を経て吹出口１９から吹き出される。
【００４５】
制御部４１は、本体ケーシング１１の前方部分に収まっており、室内ファン１５の回転数制御、吹出口１９の開度調節、第１吸込口２１の開度調節、及び第２吸込口２２の開度調節のための指令を行う。
【００４６】
（２）詳細構成
（２−１）吹出口１９及び吹出口開閉機構２９
図２は、図１に記載の吹出口および第１吸込口の拡大側面図である。図２において、吹出口１９は、吹出口開閉機構２９によって開閉される。吹出口開閉機構２９は、フラップ２９１、支軸２９２およびフラップ駆動モータ２９３を含む。
【００４７】
フラップ２９１は、その断面形状が吹出口１９の外側に張り出すように湾曲する円弧状の板であり、幅方向の一端が底フレーム１７の下端に近接している。フラップ２９１は回動可能である。
【００４８】
支軸２９２は、フラップ２９１が回動するための軸であって、回動の仮想中心軸と交差する本体ケーシング１１の側壁に支持されている。
【００４９】
フラップ駆動モータ２９３は、ステッピングモータ若しくは減速ギア機構を内蔵したステッピングモータであって、その回転軸は支軸２９２に連結されている。フラップ２９１が吹出口１９に収まっている状態を原点位置としたとき、フラップ駆動モータ２９３は印加されるパルス数に応じて回転軸を回転させ、フラップ２９１が吹出口１９を開ける方向に回転する。
【００５０】
（２−２）第１吸込口２１
第１吸込口２１は、底フレーム１７の下端と背面板１１ｃの下端との間に位置している。図１に示すように、第１吸込口２１は、吸込流路１６の入口の一部であって、背面板１１ｃの下端から底フレーム１７の下端に向って所定幅を有する開口である。
【００５１】
吸込流路１６の入口のうち第１吸込口２１と底フレーム１７の下端との間は、遮蔽板３３で覆われている。なぜなら、吸込流路１６と吹出流路１８とは底フレーム１７を隔てて隣接しており、吹出空気の一部が底フレーム１７の下端を撫ぜるように通過して吸込流路１６の入口へ進入する可能性があり、それを防止するためである。遮蔽板３３を配置することによって、吸込流路１６の実質的な入口を第１吸込口２１まで遠ざけることができる。
【００５２】
（２―３）第１吸込口開閉機構３１
第１吸込口２１には、第１吸込口開閉機構３１が設置されている。第１吸込口開閉機構３１は、開閉板３１１と、ヒンジ３１２、リンク３１３および駆動モータ３１４を含む。
【００５３】
開閉板３１１は、第１吸込口２１に嵌り込んで第１吸込口２１を塞ぐことができる大きさである。開閉板３１１は回動可能であり、その回動の仮想中心軸は底フレーム１７と遮蔽板３３とのコーナー近傍に位置する。
【００５４】
ヒンジ３１２は、開閉板３１１の回動する支点であって、回動の仮想中心軸と交差する本体ケーシング１１の壁に設けられている。ヒンジ３１２と開閉板３１１とはリンク３１３によって連結されている。
【００５５】
リンク３１３が開閉板３１１とともに回動するときに遮蔽板３３と干渉しないように、遮蔽板３３にはリンク３１３が通る軌道に沿ってスリットのような逃し部（図示せず）が形成されている。
【００５６】
駆動モータ３１４は、ステッピングモータ若しくは減速ギア機構を内蔵したステッピングモータであって、その回転軸はヒンジ３１２に連結されている。開閉板３１１が第１吸込口２１に収まっている状態を原点位置としたとき、駆動モータ３１４は印加されるパルス数に応じて回転軸を回転させ、開閉板３１１が第１吸込口２１を開ける方向に回転する。
【００５７】
（２−４）第２吸込口２２と第２吸込口開閉機構３２
図３は、図１に記載の第２吸込口の拡大側面図である。図３において、第２吸込口２２は、前面グリル１１ａのうち前面パネル１１ｂの上端と対峙する位置から天面中央にわたって設けられている。また、第２吸込口２２は、第２吸込口開閉機構３２によって開閉される。第２吸込口開閉機構３２は、スライド開閉板３２２、ピニオンギア３２４、ピニオン駆動モータ３２５及びガイド３２６を含む。
【００５８】
スライド開閉板３２２は、湾曲可能な樹脂製の板であり、フィルタ２５（図１参照）と対峙する面の両端にラックギア３２３が形成されている。また、そのラックギア３２３と噛み合うピニオンギア３２４が、スライド開閉板３２２の下方に配置されている。ピニオンギア３２４は、本体ケーシング１１の側壁に回転自在に支持されている。
【００５９】
ピニオン駆動モータ３２５は、ステッピングモータ若しくは減速ギア機構を内蔵したステッピングモータであって、その回転軸はピニオンギア３２４の中心軸に連結されている。スライド開閉板３２２が第２吸込口２２を閉じている状態を原点位置としたとき、ピニオン駆動モータ３２５は印加されるパルス数に応じて回転軸を回転させ、第２吸込口２２を開ける方向にスライド開閉板３２２を滑り移動させる。
【００６０】
本体ケーシング１１の側壁には、スライド開閉板３２２が滑り移動する際の軌道を形成するガイド３２６が設けられている。なお、図３では、スライド開閉板３２２とガイド３２６との区別ができるように、ガイド３２６を２点鎖線で描いている。
【００６１】
（３）動作
図４は、運転中の空調室内機の断面図である。図４において、第１吸込口２１および第２吸込口２２は開状態である。なお、本実施形態に係る空調室内機では、室内ファン１５にクロスフローファンが採用されているので、空気流は第２吸込口２２から吹出口１９へ流れる空気流が主流であり、第１吸込口２１だけを開にしても空気の吸い込みはほとんどない。したがって、第１吸込口２１の開のときは第２吸込口２２が開になっていることが前提である。
【００６２】
（３−１）開閉板３１１による第１吸込口２１の開度調節
図５は、各開位置で停止した開閉板周辺の側面図である。図５において、開閉板３１１は、閉位置からＡ位置の間の任意の位置で停止することができる。説明の便宜上、開閉板３１１が閉位置から時計方向に１３５°回動した開位置をＡ位置、開閉板３１１が閉位置から時計方向に６０°回動した開位置をＢ位置、閉位置から時計方向に３０°回動した開位置をＣ位置とする。Ｃ位置では、第１吸込口２１から吸い込まれる空気がＢ位置よりも制限される。
【００６３】
（３−１−１）冷房運転時の第１吸込口２１の開度調節
従来の調室内機では、冷房運転時、吹出口から空気調和後の空気を水平或いはやや斜め上方に吹き出し、吹出口よりも上部に位置する吸込口から空調対象空間の空気を吸い込むので、空調対象空間では空気の対流がない或いは極端に少ない部分、いわゆる「よどみ」が発生し易い。
【００６４】
しかし、開閉可能な第１吸込口２１が設けられたことにより、吹出口１９から空気調和後の空気を水平或いはやや斜め上方に吹き出すときは、第１吸込口２１を開状態とするので、従来の循環方式では空気が行き届かなかったところにまで空気の対流が生じ、空気のよどみの発生が抑制される。また、空気は水平或いはやや斜め上方に吹き出されているので、ショートサーキット（吹出口１９から吹き出された空調空気が直に第１吸込口２１に吸込まれる現象）は防止される。
【００６５】
他方、たとえ空調空気が吹出口１９から水平或いはやや斜め上方に吹き出た場合でも、設定温度Ｔｓと空調対象空間の温度Ｔｒとが近いときは風量が小さくなるのでショートサーキットが生じる可能性が高く、その場合は能力低下を招くおそれがあるので、第１吸込口２１は閉じられる。
【００６６】
また、設定温度Ｔｓと空調対象空間の温度Ｔｒとの差（Ｔｓ−Ｔｒ）が所定値以上になると、吹出空気の風量が大きくなり、吹出口１９から出た空調空気の勢いが、第１吸込口２１の吸い込み力を上回るので、空調空気は第１吸込口２１から遠ざかる方向に吹き出され、ショートサーキットは発生し難い。
【００６７】
それゆえ、仮に空調空気が下向きに吹出されているときでも、Ｔｓ−Ｔｒが所定値以上になっているときには、開閉板３１１をＢ位置やＣ位置に移動して、第１吸込口２１の開度を調節しながら、空調空気の理想流れを実現することができる。このように、本実施形態では、ショートサーキットの発生を防止しつつ、空気のよどみの発生を抑制することができる。
【００６８】
なお、吹出空気は下向きで、設定温度Ｔｓと空調対象空間の温度Ｔｒとの差が所定値未満のときは、風量が小さくショートサーキットが生じ易いので、開閉板３１１は閉位置となり、第１吸込口２１が閉じられる。それゆえ、ショートサーキットは回避される。
【００６９】
（３−１−２）暖房運転時の第１吸込口２１の開度調節
一般的に、暖房運転時は、加熱された空調空気は下向きに吹き出され、空調対象空間を対流し、前上部の吸込口から吸い込まれるような流れである。本実施形態では、第２吸込口２２が従来の前上部の吸込口に相当するので、第１吸込口２１を閉じたままで、従来の空調空気の流れが実現できている。
【００７０】
また、空調空気が下向きに吹き出されているときに、第１吸込口２１を開けることはショートサーキットを招くので、ショートサーキットを回避するためにも第１吸込口２１を閉じたままの状態に維持することが好ましい。
【００７１】
しかし、暖房能力を上げたいときに、第２吸込口２２だけでは十分な量の吸い込み空気が得られない場合、第１吸込口２１の開度を調節して吸い込み空気量を増大させる必要がある。
【００７２】
その際、設定温度Ｔｓと空調対象空間の温度Ｔｒとの差（Ｔｓ−Ｔｒ）が所定値以上になると、吹出空気の風量が大きくなり、吹出口１９から出た空調空気の勢いが、第１吸込口２１の吸い込み力を上回るので、ショートサーキットは生じ難い。
【００７３】
それゆえ、Ｔｓ−Ｔｒが所定値以上になっているときは、開閉板３１１をＢ位置やＣ位置に移動して、第１吸込口２１の開度を調節し、暖房能力を上げることができる。
【００７４】
（３−１−３）吹き出し角度に応じた第１吸込口２１の開度調節
この他、制御部４１は、第１吸込口２１の開度を吹出空気の吹き出し角度に応じて調節することができる。例えば、第１吸込口２１は吹出口１９の後方に位置するので、吹出口１９から吹き出される空調空気の吹き出し角度が下向き最下限に近づくほど、開閉板３１１の位置を閉位置に近づくように回動させて第１吸込口２１の開度を小さくするようにしてもよい。
【００７５】
ある時点で、吹出口１９から吹き出される空調空気の吹き出しが水平吹出であり、開閉板３１１の位置が図５におけるＢ位置であった場合、フラップ２９１が鉛直下方に近づくにつれて、制御部４１は、開閉板３１１の位置をＣ位置、若しくはＣ位置と閉位置との間に移動させる。
【００７６】
（３−１−４）能力に応じた第１吸込口２１の開度調節
また、制御部４１は、第１吸込口２１の開度を空調室内機への要求能力に応じて調節することができる。一般に、吹出口１９から吹き出される空調空気に勢いがあるとき、空調空気は第１吸込口２１に吸い込まれ難い。吹き出される空調空気に勢いがあるのは、風量が大きいときであって、通常、空調対象空間の空調負荷が大きく、能力が必要とされるときである。したがって、必要能力に応じて、第１吸込口２１の開度調節することが好ましい。
【００７７】
例えば、暖房運転時、ユーザーが設定温度を高めたとき、空調室内機には設定温度の上昇分に応じた能力が要求され、室外機側のインバータ圧縮機（図示せず）などの運転周波数が上昇するとともに室内ファン１５の回転も上昇し、吸い込み空気の量も増加する。このとき、第２吸込口２２からの吸い込み空気の量だけでは足りない場合、第１吸込口２１の開度を調節して、不足している吸い込み空気を補う。
【００７８】
吸い込み空気を補う量が大きいほど、吹出口１９から吹き出される空調空気の風量も大きく勢いがあるので、第１吸込口２１の開度を大きくしてもショートサーキットは起こり難い。
【００７９】
換言すれば、吸い込み空気を補う量が小さいほど、吹出口１９から吹き出される空調空気の風量も小さく勢いがないが、第１吸込口２１の開度も小さくなるので吸い込む勢いも小さくなり、ショートサーキットが起こり難い。
【００８０】
上記のように、必要とされる能力に応じて第１吸込口２１の開度を調節する方法を採用することによって、例えば、制御部４１は、室内ファン１５の回転数に応じて開閉板３１１の回動量を制御すればよく、制御上の観点から開度調節がし易い。
【００８１】
（３−１−５）設置条件に応じた第１吸込口２１の開度調節
さらに、制御部４１は、開閉板３１１の回動範囲を制限して第１吸込口２１の開度調節範囲を特定範囲内に抑える開度選択手段を有している。例えば、第１吸込口２１の下方に近接したカーテンレールがあって物理的に開閉できないとき、或いは、カーテンの窓側からの空気を吸い込みたくないとき、予め、開閉のモードを選択し記憶させておくことによって、第１吸込口２１の開度を制限することができる。
【００８２】
なお、制御部４１は、開度選択手段で選択された範囲に基づいて開閉板３１１の動作を制御しながら、フラップ２９１の動作をも制御してショートサーキットの回避を図る。具体的には、空調空気を下吹き出しするようなフラップ２９１の姿勢は避けられる。
【００８３】
（３−２）スライド開閉板３２２による第２吸込口２２の開度調節
本実施形態に係る空調室内機では、空気流は第２吸込口２２から吹出口１９へ流れる空気流が主流であり、第１吸込口２１の開のときは第２吸込口２２が開になっていることが前提であったが、第２吸込口２２の開度調節も許容されるのが好ましい（但し、閉状態を除く）。
【００８４】
例えば、開閉板３１１がＡ位置にあって、空調空気のショートサーキットも起こらず理想的な空気の流れで安定しているような状態では、吸い込み空気の量を制限したいときに開閉板３１１を回動させて第１吸込口２１の開度を絞るよりも、第２吸込口２２のスライド開閉板３２２を閉方向に移動させて第２吸込口２２の開度を絞るほうが、空気の流れの安定状態を乱すことなく、吸い込み空気の量を制限することができる。
【００８５】
なお、空調室内機２が運転を停止している間、スライド開閉板３２２は、第２吸込口２２を開けたままにするために、本体ケーシング１１の天面より下側に収納されている。なぜなら、第２吸込口２２が天井面と対峙している部分は停止時に埃が堆積するので、仮にスライド開閉板３２２が閉じている場合、スライド開閉板３２２が開くときにその上面に堆積した埃がかきとられて本体ケーシング１１内側に入り込む可能性があり、それを防止するためである。運転停止時でもスライド開閉板３２２を開けておくことによって、埃はフィルタ上に堆積するので、埃が本体ケーシング１１内部に入り込むことは抑制される。
【００８６】
また、スライド開閉板３２２は第２吸込口２２を開けている間、本体ケーシング１１の天面より下側に収納されるので、本体ケーシング１１の天面から露出している状態よりも埃が堆積し難く、閉方向に移動するときの振動で埃が床側へ落下するような事態も抑制される。
【００８７】
（４）特徴
（４−１）
空調室内機２では、第１吸込口２１が設けられたことにより、吹出口１９から空気調和後の空気を水平或いはやや斜め上方に吹き出すときは、第１吸込口２１を開状態とするので、従来の循環方式では空気が行き届かなかったところにまで空気の対流が生じ、空気のよどみの発生が抑制される。また、空気は水平或いはやや斜め上方に吹き出されているので、ショートサーキットは防止される。
【００８８】
また、吹出口１９から空気調和後の空気を下方に吹き出すときであっても、設定温度Ｔｓと空調対象空間の温度Ｔｒとの差（Ｔｓ−Ｔｒ）が大きく、吹出空気の風量が大きいときは、ショートサーキットは発生し難いので、第１吸込口２１を開状態とする。
【００８９】
他方、Ｔｓ−Ｔｒが小さいときは、吹出空気は風量も小さいのでショートサーキットが生じ易いが、第１吸込口２１が閉じられるのでショートサーキットは発生しない。
【００９０】
（４−２）
空調室内機２では、室内ファン１５がクロスフローファンであり、主流が第２吸込口２２から吹出口１９に向かう流れであるので、第２吸込口２２が開度調節され適正な主流が生じることによって第１吸込口２１からの空気の吸込みが可能となる。
【００９１】
（４−３）
空調室内機２では、吹出口１９から吹き出される空気の吹き出し角度に応じて第１吸込口２１の開度が調節され、ショートサーキットを防止する。
【００９２】
（４−４）
空調室内機２では、必要な空気吸込量の増加減に対応した第１吸込口２１の開度調節が可能となるので、空気吸込量の増加を伴う高い能力が必要なときに第１吸込口２１を開にして対応することができる。
【００９３】
（４−５）
空調室内機２では、第１吸込口２１が、吹出口１９の後方に隣接しており、空気の吹き出し角度は、上下方向で可変される。吹き出し角度が鉛直下方のとき、第１吸込口２１は閉じられるので、ショートサーキットの発生は防止される。
【００９４】
（４−６）
空調室内機２では、開閉板３１１を物理的に開閉できないとき、或いは、カーテンの窓側からの空気を吸い込みたくないとき、予め、開度選択手段によって開閉のモードを選択し記憶させておくことによって、第１吸込口２１の開度を制限することができる。
【００９５】
（５）変形例
（５−１）第１変形例
図６Ａは、第１変形例に係る空調室内機の閉じられた第１吸込口周辺の断面図である。また、図６Ｂは、第１変形例に係る空調室内機の開かれた第１吸込口周辺の断面図である。図６Ａにおいて、第１吸込口２１には、第１吸込口開閉機構３１が設置されている。第１吸込口開閉機構３１は、回動式の開閉板３１１と、その開閉板３１１を回動させる駆動モータ３１８を含む。
【００９６】
開閉板３１１は、第１吸込口２１の開口に嵌り込んで第１吸込口２１を塞ぐことができる大きさである。開閉板３１１の回動軸３１７は第１吸込口２１の長手方向両端部の上方に位置している。開閉板３１１と回動軸３１７とは、ヒンジリンク３１９とで連結されている。
【００９７】
また、開閉板３１１が第１吸込口２１を閉じる閉位置において、回動軸３１７は開閉板３１１の上方で且つ開閉板３１１の幅方向の中央よりも吹出口１９寄りに位置している。それゆえ、回動軸３１７が図６ＡにおいてＣＷ方向に９０°回動することによって、開閉板３１１は、その外面が第１吸込口２１の前方縁（吹出口１９に近い側の縁）に近接した鉛直姿勢となる。
【００９８】
その結果、図６Ｂに示すように、開閉板３１１は第１吸込口２１から鉛直下方へ僅かに突出した状態となる。その突出寸法は、開閉板３１１の幅方向寸法の半分以下が好ましい。なぜなら、空調室内機２の取り付け位置がカーテンレールの真上にあるような場合、開閉板３１１の突出寸法が長過ぎるとカーテンレールと干渉するからである。
【００９９】
この場合、開閉板３１１の突出寸法が短いので、吹出口１９から第１吸込口２１の方向に流れ出た気流の遮断が不十分となり、ショートサーキットが発生する可能性がある。それゆえ、吹出方向が下向きの場合に第１吸込口２１を閉じる制御によって、ショートサーキットを未然に防止する。
【０１００】
（５−２）第２変形例
図７Ａは、第２変形例に係る空調室内機の閉じられた第１吸込口周辺の断面図である。また、図７Ｂは、第２変形例に係る空調室内機の開かれた第１吸込口周辺の断面図である。図７Ａにおいて、第１吸込口２１には、第１吸込口開閉機構３１が設置されている。第１吸込口開閉機構３１は、開閉板４１１と、ヒンジ４１２、リンク４１３および駆動モータ４１４を含む。
【０１０１】
開閉板４１１は、第１吸込口２１に嵌り込んで第１吸込口２１を塞ぐことができる大きさである。開閉板４１１は回動可能であり、その回動の仮想中心軸は第１吸込口２１の縁のうち吹出口１９から遠い側の縁の近傍に位置している。
【０１０２】
ヒンジ４１２は、開閉板４１１の回動する支点であって、回動の仮想中心軸と交差する本体ケーシング１１の壁に設けられている。ヒンジ４１２と開閉板４１１とはリンク４１３によって連結されている。
【０１０３】
駆動モータ４１４は、ステッピングモータ若しくは減速ギア機構を内蔵したステッピングモータであって、その回転軸はヒンジ４１２に連結されている。開閉板４１１が第１吸込口２１に収まっている状態を原点位置としたとき、駆動モータ４１４は印加されるパルス数に応じて回転軸を回転させ、開閉板４１１が第１吸込口２１を開ける方向に回転する。このとき、開閉板４１１は、自身の端部のうち吹出口１９に近い側の端部が第１吸込口２１の下方に降ろした姿勢となる。
【０１０４】
この場合、吹出口１９から第１吸込口２１の方向に流れ出た気流は、遮蔽板３３の表面に沿って流れ、第１吸込口２１に吸い込まれてしまう。それゆえ、空調空気が吹出口１９から水平或いはやや斜め上方に吹き出る通常の冷房運転時に、第１吸込口２１を開けて空気のよどみの発生を抑制しているが、風量が小さいとき（例えば、設定温度Ｔｓと空調対象空間の温度Ｔｒとが近いとき）はショートサーキットが生じ易いので、開閉板３１１は第１吸込口２１が閉じてショートサーキットを防止している。
【０１０５】
他方、暖房運転時は、加熱された空調空気は下向きに吹き出されており、第１吸込口２１を開けることはショートサーキットを招くので、それを回避するためにも第１吸込口２１を閉じたままの状態に維持する。但し、設定温度Ｔｓと空調対象空間の温度Ｔｒとの差（Ｔｓ−Ｔｒ）が所定値以上になると吹出空気の風量が大きくなり、吹出口１９から出た空調空気の勢いが第１吸込口２１の吸い込み力を上回るので、ショートサーキットは生じ難い。それゆえ、Ｔｓ−Ｔｒが所定値以上になっているときは、第１吸込口２１を開けて、暖房能力を上げることができる。
【０１０６】
（６）その他の実施形態
なお、最近の部屋（空調対象空間）は負荷が小さくなってきていることもあり、暖房運転時にある程度部屋が暖まった後には、吹出口１９から吹き出される空気の吹き出し角度を上にして部屋全体の空気を循環させる運転を行うことも考えられる。
【０１０７】
そこで、例えば、暖房運転時、設定温度Ｔｓと空調対象空間の温度Ｔｒとの差（Ｔｓ−Ｔｒ）が所定値未満になった場合、吹出口１９から吹き出される空気の吹き出し角度を水平若しくは水平よりも上向きにして、第１吸込口２１を開く制御が行われてもよい。
【０１０８】
これによって、空気が、空調対象空間の天井、壁、床、壁に沿って対流し、第１吸込口２１から吸い込まれるので、暖房運転時に部屋全体の空気を循環させることが可能となる。
【産業上の利用可能性】
【０１０９】
以上のように、本発明によれば吹出口の後方に吸込口を隣接させても、吹出空気が直に吸込まれることが抑制されるので、壁掛け式の空調室内機に有用である。
【符号の説明】
【０１１０】
２  空調室内機
１１  本体ケーシング
１９  吹出口
２１  第１吸込口
２２  第２吸込口
２９  吹出口開閉機構
３１  第１吸込口開閉機構
３２  第２吸込口開閉機構
４１  制御部
３１１，４１１  開閉部材
３１８，４１４  駆動部
【先行技術文献】
【特許文献】
【０１１１】
【特許文献１】特開２００１−１１６３４６号公報
【図１】
0005131408.tif 000002
【図２】
0005131408.tif 000003
【図３】
0005131408.tif 000004
【図４】
0005131408.tif 000005
【図５】
0005131408.tif 000006
【図６Ａ】
0005131408.tif 000007
【図６Ｂ】
0005131408.tif 000008
【図７Ａ】
0005131408.tif 000009
【図７Ｂ】
0005131408.tif 000010